【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
吸い込み口と排気口を有する本体に、室内の浮遊塵埃を含む外気を前記吸い込み口から排気口に導く風路を形成し、該風路内に塵埃捕集用プレフィルターと送風機とを備えた空気調和機において、
前記プレフィルターの上流側に接触して、電動機等よりなる駆動装置により前記プレフィルターの一端から他端間を可動するブラシ等の清掃体を有する可動除塵体と、前記プレフィルターの他端部近傍に前記可動除塵体からの塵埃を収納する塵埃口を有する塵埃収納体とを設け、該塵埃収納体は、前記本体の上面に形成された収納口を有する収納部に着脱自在に収納されたことを特徴とする空気調和機。
【請求項２】
吸い込み口と排気口を有する本体に、室内の浮遊塵埃を含む外気を前記吸い込み口から排気口に導く風路を形成し、該風路内に塵埃捕集用プレフィルターと送風機とを設け、さらに前記本体の一端面に着脱自在に形成され、前記プレフィルターに対向するフロントパネルを備えた空気調和機において、
前記プレフィルターの上流側に接触して、電動機等よりなる駆動装置により前記プレフィルターの一端から他端間を可動するブラシ等の清掃体を有する可動除塵体と、前記プレフィルターの他端部近傍に前記除塵体からの塵埃を収納する塵埃口を有する塵埃収納体とを設け、前記塵埃収納体は、前記本体の上面に形成された収納口を有する収納部に着脱自在に収納されたことを特徴とする空気調和機。
【請求項３】
塵埃収納体は、収納部に係合体により係合され、該係合が解除されたときに、前記塵埃収納体の上端部は収納口より突出するよう前記収納部に弾性体を備えたことを特徴とする請求項１又は２に記載の空気調和機。
【請求項４】
プレフィルターは中央部には多数の細孔を有するネットフィルターと、その外周部は非通気の枠体で構成され、除塵体は非可動時において、前記枠体の一端面に位置し、前記枠体の他端面には、該他端面と接合する塵埃収納体が配置されたことを特徴とする請求項１〜３のいずれか１項に記載の空気調和機。
【請求項５】
可動除塵体は、プレフィルターの上面部及び／又は下面部に横方向に配置された横方向移動手段に、可動自在に保持され、電動機の駆動力により所定速度で前記プレフィルターの一端面から他端面に移動し、また前記一端面に戻ってくることを特徴とする請求項１〜４のいずれか１項に記載の空気調和機。
【請求項６】
可動除塵体を構成する清掃体が塵埃収納体内部に収納された後、電動機反転スイッチが作動するように設定したことを特徴とする請求項１〜５のいずれか１項に記載の空気調和機。
【請求項７】
プレフィルターの下端面には、塵埃捕集用のトレイを設けたことを特徴とする請求項１〜６のいずれか１項に記載の空気調和機。
【請求項８】
可動除塵体の下端部に拭き掃き体を設け、該拭き掃き体がトレイに接触し、該トレイ内の塵埃を、塵埃収納体に移動収納させることを特徴とする請求項７に記載の空気調和機。
【請求項９】
塵埃収納体の塵埃口には、一端が可動自在に保持されたシャッターを有し、該シャッターは、可動除塵体の移動に連動して、開閉されることを特徴とする請求項１又は２に記載の空気調和機。
【手続補正２】
【補正対象書類名】明細書
【補正対象項目名】０００７
【補正方法】変更
【補正の内容】
【０００７】
上記従来の課題を解決するために、請求項１の発明は、吸い込み口と排気口を有する本体に、室内の浮遊塵埃を含む外気を前記吸い込み口から排気口に導く風路を形成し、該風路内に塵埃捕集用プレフィルターと送風機とを備えた空気調和機において、前記プレフィルターの上流側に接触して、電動機等よりなる駆動装置により前記プレフィルターの一端から他端間を可動するブラシ等の清掃体を有する可動除塵体と、前記プレフィルターの他端部近傍に前記可動除塵体からの塵埃を収納する塵埃口を有する塵埃収納体とを設け、該塵埃収納体は、前記本体の上面に形成された収納口を有する収納部に着脱自在に収納されたことに特徴を有する。
【手続補正３】
【補正対象書類名】明細書
【補正対象項目名】０００８
【補正方法】変更
【補正の内容】
【０００８】
請求項２の発明は、吸い込み口と排気口を有する本体に、室内の浮遊塵埃を含む外気を前記吸い込み口から排気口に導く風路を形成し、該風路内に塵埃捕集用プレフィルターと送風機とを設け、さらに前記本体の一端面に着脱自在に形成され、前記プレフィルターに対向するフロントパネルを備えた空気調和機において、前記プレフィルターの上流側に接触して、電動機等よりなる駆動装置により前記プレフィルターの一端から他端間を可動するブラシ等の清掃体を有する可動除塵体と、前記プレフィルターの他端部近傍に前記除塵体からの塵埃を収納する塵埃口を有する塵埃収納体とを設け、前記塵埃収納体は、前記本体の上面に形成された収納口を有する収納部に着脱自在に収納されたことに特徴を有する。
【手続補正４】
【補正対象書類名】明細書
【補正対象項目名】００１５
【補正方法】変更
【補正の内容】
【００１５】
請求項９の発明は、請求項１又は２の発明において、塵埃収納体の塵埃口には、一端が可動自在に保持されたシャッターを有し、該シャッターは、可動除塵体の移動に連動して、開閉されることに特徴を有する。
【手続補正５】
【補正対象書類名】明細書
【補正対象項目名】００１６
【補正方法】変更
【補正の内容】
【００１６】
請求項１の発明は、吸い込み口と排気口を有する本体に、室内の浮遊塵埃を含む外気を前記吸い込み口から排気口に導く風路を形成し、該風路内に塵埃捕集用プレフィルターと送風機とを備えた空気調和機において、前記プレフィルターの上流側に接触して、電動機等よりなる駆動装置により前記プレフィルターの一端から他端間を可動するブラシ等の清掃体を有する可動除塵体と、前記プレフィルターの他端部近傍に前記可動除塵体からの塵埃を収納する塵埃口を有する塵埃収納体とを設け、該塵埃収納体は、前記本体の上面に形成された収納口を有する収納部に着脱自在に収納されたことに特徴を有するので、使用者が腰を折ることなく、立ったままの姿勢で塵埃収納体を本体に着脱自在に収納できるので、従来のように、本体前面から取り出すために床面上に座る場合と比較して大変便利である。また、プレフィルターの上流面に捕集される塵埃は、可動除塵体により自動的に除去され、塵埃収納体に収納されるため、使用者が掃除用ブラシ等でプレフィルターを清掃する手間を省くことができる。さらに、本体の上面に操作部と塵埃収納体の取り出し口とを形成することで、全ての操作が立ったままでき、利便性の向上を図ることができる。
【手続補正６】
【補正対象書類名】明細書
【補正対象項目名】００１７
【補正方法】変更
【補正の内容】
【００１７】
請求項２の発明は、吸い込み口と排気口を有する本体に、室内の浮遊塵埃を含む外気を前記吸い込み口から排気口に導く風路を形成し、該風路内に塵埃捕集用プレフィルターと送風機とを設け、さらに前記本体の一端面に着脱自在に形成され、前記プレフィルターに対向するフロントパネルを備えた空気調和機において、前記プレフィルターの上流側に接触して、電動機等よりなる駆動装置により前記プレフィルターの一端から他端間を可動するブラシ等の清掃体を有する可動除塵体と、前記プレフィルターの他端部近傍に前記除塵体からの塵埃を収納する塵埃口を有する塵埃収納体とを設け、前記塵埃収納体は、前記本体の上面に形成された収納口を有する収納部に着脱自在に収納されたことに特徴を有するので、フロントパネルを備えた空気調和機においても請求項１の発明と同様の効果を奏することができる。
【手続補正７】
【補正対象書類名】明細書
【補正対象項目名】００２４
【補正方法】変更
【補正の内容】
【００２４】
請求項９の発明は、請求項１又は２の発明において、塵埃収納体の塵埃口には、一端が可動自在に保持されたシャッターを有し、該シャッターは、可動除塵体の移動に連動して、開閉されることに特徴を有するので、通常は塵埃口を閉口することで、塵埃の逆流を防ぐことができ、塵埃収納体に収納された塵埃を捨てる際に漏れることなく、室内を汚すことが無い。